(57)【要約】【課題】アンテナアンプ装置に対して受信装置本体から複数の制御信号を効率良く伝送する。【解決手段】アンテナアンプ装置１にＦＭメインアンプユニット４Ａ及びＦＭサブアンプユニット４Ｂを設けると共に、受信装置本体１１０にメインチューナ回路２Ａ及びサブチューナ回路２Ｂを設け、前記アンプユニット４Ａ、４Ｂ及びチューナ回路２Ａ、２Ｂを２本のアンテナケーブル６Ａ、６Ｂにて接続して２つの放送チャンネルを受信可能に構成し、前記ＦＭメインアンプユニット４Ａみにに対するＡＧＣ制御信号Ｖｆａ及び及びＦＭサブアンプユニット４Ｂに対するＡＧＣ制御信号Ｖｆｂを合成し、いずれか１つのアンテナケーブル６Ａに重畳して前記アンテナアンプ装置１に伝送する構成とした。【選択図】図１
2007243409.tif 000002
【特許請求の範囲】
【請求項１】
アンテナのＲＦ信号を増幅するアンテナアンプ装置と、前記アンテナアンプ装置からアンテナケーブルを介して伝送されるＲＦ増幅信号を受信する受信装置本体とを備え、
前記アンテナアンプ装置に複数のアンプユニットを設けると共に、前記受信装置本体に複数のチューナ回路を設け、前記アンプユニット及びチューナ回路を複数の前記アンテナケーブルにて接続して複数の放送チャンネルを受信可能に構成し、
前記アンテナアンプ装置に対する少なくとも２以上の制御信号を合成し、いずれか１つの前記アンテナケーブルに重畳して前記アンテナアンプ装置に伝送する信号合成回路を前記受信装置本体に設けると共に、
前記アンテナケーブルに重畳された信号から各制御信号を分離する信号分離回路を前記アンテナアンプ装置に設けた
ことを特徴とする受信装置。
【請求項２】
請求項１に記載の受信装置において、
前記受信装置本体は、前記アンプユニットのそれぞれのＲＦ増幅信号レベルに基づいて、各アンプユニットに対するＡＧＣ制御信号を生成し、前記信号合成回路が各ＡＧＣ制御信号を合成し、前記アンテナケーブルに重畳して前記アンテナアンプ装置へ送出する
ことを特徴とする受信装置。
【請求項３】
請求項１または２に記載の受信装置において、
前記受信装置本体は、前記信号合成回路が信号を重畳するアンテナケーブル以外のアンテナケーブルを介して前記アンテナアンプ装置に電力を伝送する
ことを特徴とする受信装置。
【発明の詳細な説明】
【技術分野】
【０００１】
本発明は、アンテナアンプ装置と受信装置本体とがアンテナケーブルにより接続された構成の受信装置に関する。
【背景技術】
【０００２】
一般に、車載用受信装置は、アンテナからのＲＦ（高周波）信号を増幅して出力するアンテナアンプ装置と、このアンテナアンプ装置とアンテナケーブルを介して接続されるチューナ回路を内蔵した受信装置本体とを備え、アンテナアンプ装置がアンテナの信号出力端近傍に配設されると共に、受信装置本体が運転席近傍に配設されて構成されている。この構成においては、アンテナアンプ装置がＲＦ信号を増幅して受信装置本体に出力するため、ＲＦ信号がアンテナケーブル内で減衰しても、受信装置本体には十分な強度のＲＦ信号が入力される。また、従来、受信電波強度に応じて信号増幅率を制御するＡＧＣ（Auto Gain Control）機能を上記アンテナアンプ装置に設け、アンテナアンプ装置が単独でＡＧＣを行うことで、受信電波強度の強弱が変動した場合であっても、安定したＲＦ信号が受信装置本体に出力されるようになっている。
【０００３】
しかしながら、アンテナアンプ装置が単独でＡＧＣを行う構成とすると、受信装置本体側での受信状況がＡＧＣに反映されないため、必ずしも適切にＡＧＣが行われるとは限らなかった。例えば、受信装置本体が受信している希望局（希望チャンネル）の電界強度に対して妨害信号の電界強度の方が高い場合には、妨害信号の電界強度に応じてＡＧＣが行われてしまい、希望局の信号レベルが下がってしまうこととなり、結果として、音が小さくなったり、聞こえなくなってしまう等の現象が発生する。そこで、アンテナアンプ装置のＡＧＣを制御するＡＧＣ制御信号を受信装置本体が受信状況に応じて生成し、アンテナケーブルを介してアンテナアンプ装置に出力し、当該アンテナアンプ装置にＡＧＣを行わせる技術が提案されている（例えば、特許文献１参照）。
【特許文献１】特開平６−２２４６６９公報
【発明の開示】
【発明が解決しようとする課題】
【０００４】
しかしながら、近年では、同時に多チャンネルの放送を受信可能に受信装置が構成されることが多く、また、受信感度を高める等の目的でアンテナアンプ装置に多数の電気回路が設けられることが多くなっている。これに応じて、受信装置本体側からアンテナアンプ装置に伝送すべきＡＧＣ制御信号の数や、当該アンテナアンプ装置の各部を制御するための制御信号の種類や数が増えることとなるが、従来の技術では、これらの制御信号をアンテナアンプ装置に効率良く伝送することはできなかった。
本発明は、上述した事情に鑑みてなされたものであり、アンテナアンプ装置に対して受信装置本体から複数の制御信号を効率良く伝送することのできる受信装置を提供することを目的とする。
【課題を解決するための手段】
【０００５】
上記目的を達成するために、本発明は、アンテナのＲＦ信号を増幅するアンテナアンプ装置と、前記アンテナアンプ装置からアンテナケーブルを介して伝送されるＲＦ増幅信号を受信する受信装置本体とを備え、前記アンテナアンプ装置に複数のアンプユニットを設けると共に、前記受信装置本体に複数のチューナ回路を設け、前記アンプユニット及びチューナ回路を複数の前記アンテナケーブルにて接続して複数の放送チャンネルを受信可能に構成し、前記アンテナアンプ装置に対する少なくとも２以上の制御信号を合成し、いずれか１つの前記アンテナケーブルに重畳して前記アンテナアンプ装置に伝送する信号合成回路を前記受信装置本体に設けると共に、前記アンテナケーブルに重畳された信号から各制御信号を分離する信号分離回路を前記アンテナアンプ装置に設けたことを特徴とする受信装置を提供する。
【０００６】
また本発明は、上記発明において、前記受信装置本体は、前記アンプユニットのそれぞれのＲＦ増幅信号レベルに基づいて、各アンプユニットに対するＡＧＣ制御信号を生成し、前記信号合成回路が各ＡＧＣ制御信号を合成し、前記アンテナケーブルに重畳して前記アンテナアンプ装置へ送出することを特徴とする。
【０００７】
また本発明は、上記発明において、前記受信装置本体は、前記信号合成回路が信号を重畳するアンテナケーブル以外のアンテナケーブルを介して前記アンテナアンプ装置に電力を伝送することを特徴とする。
【発明の効果】
【０００８】
本発明によれば、アンテナアンプ装置に対する複数の制御信号を合成し１本のアンテナケーブルに重畳してアンテナアンプ装置に伝送するため、各制御信号ごとに個別に伝送線を設ける必要がなく効率良く複数の制御信号を伝送できる。
【発明を実施するための最良の形態】
【０００９】
以下、図面を参照して本発明の実施の形態について説明する。
（第１実施形態）
図１は本実施形態に係る受信装置１００の構成を示すブロック図である。この図に示すように、受信装置１００は、アンテナ３Ａ、３Ｂの近傍に配置されるアンテナアンプ装置１と、当該アンテナアンプ装置１と別体に構成された受信装置本体１１０とを備えている。
【００１０】
アンテナアンプ装置１は、２本のアンテナ３Ａ及び３ＢごとにＦＭメインアンプユニット４Ａ及びＦＭサブアンプユニット４Ｂを備え、さらに、アンテナ３Ａに対してＦＭメインアンプユニット４Ａと並列にＡＭアンプユニット５を有し、合計３つのアンプユニット４Ａ、４Ｂ及び５を有している。アンテナアンプ装置１とチューナ回路２とは、２本のアンテナケーブル６Ａ及び６Ｂにて接続され、一方のアンテナケーブル６ＡがＦＭメインアンプユニット４Ａ及びＡＭアンプユニット５からのＲＦ信号をチューナ回路２に伝送し、また、他方のアンテナケーブル６ＢがＦＭサブアンプユニット４Ｂ及からのＲＦ信号をチューナ回路２に伝送する。そして、アンテナアンプ装置１が備えるアンプユニット４Ａ、４Ｂ及び５のうち、ＦＭ放送波を受信するＦＭメインアンプユニット４Ａ及びＦＭサブアンプユニット４Ｂがチューナ回路２によってＡＧＣ制御される。
【００１１】
ＦＭメインアンプユニット４Ａは、入力回路７と、ＡＧＣ回路８と、ＲＦアンプ回路９と、出力回路１０とを備えている。入力回路７は、アンテナ３Ａにて受信されたＲＦ信号をＲＦアンプ９に出力するものである。ＡＧＣ回路８はチューナ回路２からのＡＧＣ制御信号に基づいてＲＦアンプ回路９の増幅率を制御するものであり、外部制御型ＲＦ−ＡＧＣ回路として構成されている。ＲＦアンプ回路９は、ＡＧＣ回路８によって規定された増幅率にてＲＦ信号を増幅し、出力回路１０に出力する。出力回路１０は、ＲＦ増幅信号をアンテナケーブル６Ａを介してチューナ回路２に出力する。
【００１２】
ＦＭサブアンプユニット４Ｂは、ＦＭメインアンプユニット４Ａと同一の構成を有し、ＲＦ増幅信号をアンテナケーブル６Ｂを介してチューナ回路２に出力する。
ＡＭアンプユニット５は、自己完結型ＲＦ−ＡＧＣ回路（図示せず）を備え、受信信号強度に応じてＲＦ信号のゲインを調整し、アンテナケーブル６Ａを介してチューナ回路２に出力する。また、アンテナアンプ装置１は、信号分離回路２０を備えるが、これについては後述する。
【００１３】
受信装置本体１１０は、チューナ回路２と復調回路３０Ａ、３０Ｂとを備え、チューナ回路２は、ＦＭメインアンプユニット４Ａ及びＡＭアンプユニット５からのＲＦ増幅信号に基づいて選局動作を行うメインチューナ回路２Ａと、ＦＭサブアンプユニット４ＢからのＲＦ増幅信号に基づいて選局動作を行うサブチューナ回路２Ｂとを備えている。
メインチューナ回路２Ａは、ＯＳＣ（局部発振器）１１、タンク回路１２、ＰＬＬ回路１３、ＤＡＡ１４、同調回路１５、ＭＩＸ（混合）回路１６及び信号合成回路１７を備えている。ＯＳＣ（局部発振器）１１は基準信号をＰＬＬ回路１３及びＭＩＸ回路１６に出力するものであり、ＰＬＬ（Phase Locked Loop）回路１３は、基準信号の周波数と選局チャンネルの周波数（以下、「受信周波数」と言う）との位相差に応じた信号をタンク回路１２及びＤＡＡ１４に出力するものである。タンク回路１２は電圧可変容量及びインダクタを有して構成され、ＰＬＬ回路１３からの入力信号に応じたインダクタンスをＯＳＣ１１に付与し、基準信号の周波数を受信周波数に制御するものであり、これらＯＳＣ１１、タンク回路１２及びＰＬＬ回路１３により電圧制御発振器が構成されている。
【００１４】
ＤＡＡ（Digital Auto Alignment）１４は、ＰＬＬ回路１３の出力に基づいて、同調回路１５の共振周波数を制御するための制御信号を生成し、当該同調回路１５に出力するものである。詳細には、世界各地域では、ラジオ放送波の周波数帯域が異なるため、同調回路１５の共振周波数を可変する必要がある。そこで、ＤＡＡ１４は、同調回路１５の共振周波数を、使用されている国のラジオ放送波の周波数帯域に応じた受信周波数にすべく、制御信号を生成し出力する。同調回路１５は、電圧可変容量を含むＬＣ共振器として構成され、ＤＡＡ１４からの制御信号に基づいて容量が可変されて共振周波数が受信周波数に制御される。この同調回路１５には、ＦＭメインアンプユニット４Ａ及びＡＭアンプユニット５からのＲＦ増幅信号が入力されており、このＲＦ増幅信号に含まれる受信周波数成分の信号（以下、「受信信号」と言う）をＭＩＸ回路１６に出力する。ＭＩＸ回路１６は、受信信号とＯＳＣ１１の出力信号とを混合してＩＦ（中間周波）信号に変換し、後段の復調回路３０Ａに出力する。この復調回路３０Ａでは、ＩＦ信号が復調されて音声信号が生成され、この音声信号がスピーカから出力される。
【００１５】
また、復調回路３０ＡはＩＦ信号の信号レベルに応じて、ＦＭメインアンプユニット４ＡのＲＦアンプ８の増幅率を制御すべくＡＧＣ制御信号Ｖｆａを生成し、メインチューナ回路２Ａに出力し、このＡＧＣ制御信号Ｖｆａが信号合成回路１７に入力される。なお信号合成回路１７については後に説明する。
サブチューナ回路２Ｂは、信号合成回路１７を除き、上記メインチューナ回路２Ａと同一な構成を有する。すなわち、サブチューナ回路２Ｂは、ＦＭサブアンプユニット４ＢからのＲＦ増幅信号から受信信号を取り出し、復調回路３０Ｂに出力する。また、復調回路３０Ｂは、ＦＭサブアンプユニット４ＢのＲＦアンプ８の増幅率を制御すべくＡＧＣ制御信号Ｖｆｂを生成してサブチューナ回路２Ｂに出力し、このＡＧＣ制御信号Ｖｆｂがサブチューナ回路２Ｂから上記信号合成回路１７に出力される。
【００１６】
信号合成回路１７は、ＦＭメインアンプユニット４Ａに対するＡＧＣ制御信号Ｖｆａと、ＦＭサブアンプユニット４Ｂに対するＡＧＣ制御信号Ｖｆｂとを合成して合成制御信号Ｖｔを生成し、アンテナケーブル６Ａに重畳してアンテナアンプ装置１の上記信号分離回路２０に伝送するものである。より詳細には、信号合成回路１７は、例えばＡＧＣ制御信号Ｖｆａを電圧振幅とすると共に、他方のＡＧＣ制御信号Ｖｆｂを電圧−周波数変換して１Ｈｚ〜１０ＫＨｚ程度の周波数変調された信号とし、この周波数変調された信号の振幅を上記電圧とした合成波形信号をＯＰアンプ等のアナログ回路で生成し、この合成波形信号を合成制御信号Ｖｔとしてアンテナアンプ装置１に伝送する。このとき、受信信号の受信周波数は概ね１００ＫＨｚ以上であり、この受信周波数よりも低い周波数でＡＧＣ制御信号Ｖｆｂを変調することで、受信信号と上記合成制御信号Ｖｔとをチューナ回路２側でＬＣ回路等を用いて分離することが可能である。
【００１７】
一方、アンテナアンプ装置１の信号分離回路２０は、合成制御信号ＶｔをＡＧＣ制御信号Ｖｆａ及びＶｆｂに分離し、ＡＧＣ制御信号ＶｆａをＦＭメインアンプユニット４ＡのＡＧＣ回路８に出力すると共に、ＡＧＣ制御信号ＶｆｂをＦＭサブアンプユニット４ＢのＡＧＣ回路８に出力する。具体的には、合成制御信号Ｖｔの振幅電圧に基づいてＡＧＣ制御信号Ｖｆａを復元し、合成制御信号Ｖｔの周波数に基づいてＡＧＣ制御信号Ｖｆｂを復元する。
これにより、チューナ回路２からのＡＧＣ制御信号Ｖｆａ、ＶｆｂがそれぞれＦＭメインアンプユニット４Ａ、ＦＭサブアンプユニット４Ｂに入力され、それぞれのアンプユニット４Ａ、４ＢでＡＧＣ制御が行われることとなる。
【００１８】
なお、上記合成制御信号Ｖｔとしては、ＯＰアンプ等のアナログ回路を用いた合成信号に限らない。例えば、信号合成回路１７は、ＡＧＣ制御信号Ｖｆａ及びＶｆｂのそれぞれをＡ−Ｄ（アナログ−デジタル）変換により時系列にサンプリングしてデジタル信号化した後、ＦＳＫ等の周波数変調を施し、それぞれのＡＧＣ制御信号Ｖｆａ、Ｖｆｂをアンテナケーブル６Ａの信号に重畳するようにしても良い。この場合、信号分離回路２０にあっては、周波数変調されたＡＧＣ制御信号Ｖｆａ、Ｖｆｂを復調し、ＦＭメインアンプユニット４Ａ、ＦＭサブアンプユニット４Ｂに出力する。
一方、ＦＭサブアンプユニット４Ｂとサブチューナ回路２Ｂとを接続するアンテナケーブル６Ｂには、アンテナアンプ装置１に電力を供給するための電源電圧が重畳されており、アンテナアンプ装置１に内蔵された図示せぬレギュレータ等により電源電圧が取り出され、ＲＦアンプ８等に供給される。
【００１９】
以上説明したように、本実施形態によれば、２つのＡＧＣ制御信号Ｖｆａ、Ｖｆｂを信号合成回路１７が合成し、１本のアンテナケーブル６Ａに重畳してアンテナアンプ装置１に伝送するため、各ＡＧＣ制御信号Ｖｆａ、Ｖｆｂを別々のアンテナケーブル６Ａ、６Ｂに重畳する必要がなく、効率よくアンテナアンプ装置１に伝送することができる。
【００２０】
特に、各ＡＧＣ制御信号Ｖｆａ、Ｖｆｂを別々のアンテナケーブル６Ａ、６Ｂに重畳する構成とすると、各アンテナケーブル６Ａ、６Ｂの系統ごとにＡＧＣ制御信号Ｖｆａ、Ｖｆｂを分離するための電気回路を設ける必要があり、装置構成が複雑化してしまう。これに対して本実施形態によれば、１本のアンテナケーブル６Ａに各ＡＧＣ制御信号が重畳されるため、ＡＧＣ制御信号Ｖｆａ、Ｖｆｂを分離するための信号分離回路２０を１系統にのみ設ければ良く、装置構成を簡略化し、また、コストを抑えることができる。
【００２１】
さらに、本実施形態によれば、合成制御信号Ｖｔが重畳されるアンテナケーブル６Ａ以外のアンテナケーブル６Ｂを介して電力をアンテナアンプ装置１に供給するため、信号線を増やすことなくアンテナアンプ装置１に電力を供給することができると共に、このアンテナケーブル６Ｂの系統にだけ電力を分離する回路を設けるだけで、各アンテナケーブル６Ａ、６Ｂの系統のそれぞれに電力を供給することができる。
【００２２】
（第２実施形態）
上述した第１実施形態では、ＦＭメインアンプユニット４Ａ、ＦＭサブアンプユニット４Ｂのそれぞれに対するＡＧＣ制御信号Ｖｆａ、Ｖｆｂを信号合成回路１７にて合成しアンテナケーブル６Ａに重畳してアンテナアンプ装置１に伝送する構成を説明した。これに対して本実施形態では、異なる種類の信号をアンテナケーブル６Ａに重畳してアンテナアンプ装置１に送信する構成を説明する。
図２は、本実施形態に係る受信装置１００’が備えるアンテナアンプ装置１’及び受信装置本体１１０’の機能的構成を示すブロック図である。この図に示すように、アンテナアンプ装置１’及び受信装置本体１１０’のチューナ回路２’は、次の点で第１実施形態と構成を異にしている。
すなわち、アンテナアンプ装置１’のＦＭメインアンプユニット４Ａ’及びＦＭサブアンプユニット４Ｂ’のそれぞれは、入力装置７及び出力回路９に代えて同調回路４０、４１を備え、アンテナアンプ装置１’側でＲＦ信号から受信信号が取り出されてチューナ回路２’に出力されるように構成されている。
【００２３】
一方、チューナ回路２’のメインチューナ回路２Ａ’にあっては、同調回路１２が省略されると共に、ＤＡＡ１４の出力信号Ｖｏｕｔと、上記復調回路３０ＡのＡＧＣ制御信号Ｖｆａが信号合成回路１７’に入力される。そして、信号合成回路１７’は、これらＤＡＡ１４の出力信号Ｖｏｕｔ、ＡＧＣ制御信号Ｖｆａを合成して合成制御信号Ｖｔ’を生成し、アンテナケーブル６Ａに重畳してアンテナアンプ装置１’に送出する。この合成制御信号Ｖｔ’は、アンテナアンプ装置１’の信号分離回路２０’に入力され、この信号分離回路２０’によってＤＡＡ１４の出力信号ＶｏｕｔとＡＧＣ制御信号Ｖｆａに分離され、出力信号ＶｏｕｔがＦＭメインアンプユニット４Ａ’の同調回路４０、４１に出力され、また、ＡＧＣ制御信号ＶｆａがＡＧＣ回路８に出力される。
【００２４】
また、上記信号合成回路１７’には、サブチューナ回路２Ｂ’のＤＡＡ１４からの出力信号Ｖｏｕｔ’と、復調回路３０ＢのＡＧＣ制御信号Ｖｆｂとが入力可能に構成されており、信号合成回路１７’は、これら出力信号Ｖｏｕｔ’及びＡＧＣ制御信号Ｖｆｂを合成して、ＦＭサブアンプユニット４Ｂ’に対する合成制御信号Ｖｔ’’を生成し、アンテナケーブル６Ａに重畳してアンテナアンプ装置１’に送出され、アンテナアンプ装置１’の信号分離回路２０’に入力される。そして、信号分離回路２０’によってＤＡＡ１４の出力信号Ｖｏｕｔ’とＡＧＣ制御信号Ｖｆｂに分離され、出力信号Ｖｏｕｔ’がＦＭサブアンプユニット４Ｂ’の同調回路４０、４１に出力され、また、ＡＧＣ制御信号ＶｆｂがＡＧＣ回路８に出力される。
【００２５】
このとき、ＦＭ放送を２チャンネル同時に受信する等してＦＭメインアンプユニット４Ａ’とＦＭサブアンプユニット４Ｂ’とが共に稼働している場合、信号合成回路１７’は、ＦＭサブアンプユニット４Ｂ’に対する合成制御信号Ｖｔ’と、ＦＭサブアンプユニット４Ｂ’に対する合成制御信号Ｖｔ’’とを例えば時分割で交互に生成し、順次アンテナアンプ装置１’に送出する。なお、上記合成制御信号Ｖｔ’と、合成制御信号Ｖｔ’’とを別々に生成する構成に限らず、信号合成回路１７’が、出力信号Ｖｏｕｔ、Ｖｏｕｔ’、ＡＧＣ制御信号Ｖｆａ、Ｖｆｂのそれぞれを１つの信号に合成して、信号分離回路２０’に出力するようにしても良い。
【００２６】
一方、ＦＭサブアンプユニット４Ｂ’とサブチューナ回路２Ｂ’とを接続するアンテナケーブル６Ｂには、第１実施形態と同様に、アンテナアンプ装置１’に電力を供給するための電源電圧が重畳されており、アンテナアンプ装置１に内蔵された図示せぬレギュレータ等により電源電圧が取り出され、ＲＦアンプ８等に供給される。
【００２７】
このように、本実施形態によれば、ＤＡＡ１４の出力信号ＶｏｕｔとＡＧＣ制御信号Ｖｆａといった種類の異なる複数の制御信号であっても、信号合成回路１７’により合成されてアンテナケーブル６Ａに重畳されてアンテナアンプ装置１’に伝送されるため、第１実施形態と同様に、効率よく、なおかつ、簡単な構成で各制御信号をアンテナアンプ装置１’に伝送することができる。
【００２８】
なお、上述した各実施の形態は、あくまでも本発明の一態様を示すものであり、本発明の範囲内で任意に変形および応用が可能であることは勿論であり、例えば、アンテナと受信装置との間の距離が比較的長い車載用受信装置に応用が可能である。
【図面の簡単な説明】
【００２９】
【図１】本発明の第１実施形態に係る受信装置の機能的構成を示すブロック図。
【図２】本発明の第２実施形態に係る受信装置の機能的構成を示すブロック図。
【符号の説明】
【００３０】
１、１’  アンテナアンプ装置
２、２’  チューナ回路
２Ａ、２Ａ’  メインチューナ回路
２Ｂ、２Ｂ’  サブチューナ回路
４Ａ、４Ａ’  ＦＭメインアンプユニット
４Ｂ、４Ｂ’  ＦＭサブアンプユニット
６Ａ、６Ｂ  アンテナケーブル
８  ＡＧＣ回路
９  ＲＦアンプ
１７、１７’  信号合成回路
２０、２０’  信号分離回路
３０Ａ、３０Ｂ  復調回路
１００  受信装置
Ｖｆａ、Ｖｆｂ  ＡＧＣ制御信号
Ｖｔ、Ｖｔ’、Ｖｔ’’  合成制御信号
【図１】
2007243409.tif 000003
【図２】
2007243409.tif 000004